(57)【要約】      （修正有）【課題】床面から突出せず、床面に隠蔽された状態で安全に使用することができる磁力電気コネクタを提供する。【解決手段】地下に設けられた床面導電結合部と地上に設けられた磁気制御配電箱とを備え、床面導電結合部は少なくとも二つの金属接触部及び磁気感応スイッチを含み、磁気感応スイッチが導通された時には二つの金属接触部と電源との連通を制御し、磁気制御配電箱は少なくとも二つの磁性導電部及び磁気感応スイッチの導通を制御するための第一磁性体を含み、磁性導電部は磁力を通じて金属接触部と電気的接続されることで、電流を獲得する。【選択図】図２
0003163609.tif 000002
【実用新案登録請求の範囲】
【請求項１】
一種の磁力電気コネクタであって、地下に設けられた床面導電結合部と地上に設けられた磁気制御配電箱とを備え、
前記床面導電結合部は少なくとも二つの金属接触部（３）及び磁気感応スイッチ（１）を備え、前記磁気感応スイッチ（１）が導通された時には二つの金属接触部（３）と電源との連通を制御し、
前記磁気制御配電箱は少なくとも二つの磁性導電部及び前記磁気感応スイッチ（１）の導通を制御するための第一磁性体（４）を備え、
前記磁性導電部は磁力を通じて前記金属接触部（３）と電気的接続されることで、電流を獲得する、ことを特徴とする磁力電気コネクタ。
【請求項２】
前記二つの磁性導電部はそれぞれ整流器（１２）に電気的接続され、前記整流器（１２）は前記磁性導電部で獲得した電流の極性を整理した後出力する、ことを特徴とする請求項１記載の磁力電気コネクタ。
【請求項３】
前記二つの磁性導電部はそれぞれ第二磁性体と第三磁性体（２）、及びそれぞれ前記第二磁性体と第三磁性体（２）の外部に被覆された導電スリーブ（５）を備え、
前記導電スリーブ（５）には接続板（７）が設けられ、前記導電スリーブ（５）は前記接続板（７）に設けられたリード線を通じて前記整流器（１２）の入力端に接続されている、ことを特徴とする請求項２に記載の磁力電気コネクタ。
【請求項４】
前記整流器（１２）には絶縁板（１１）が設けられ、前記絶縁板（１１）と前記接続板（７）の間にはスプリング（１０）が設けられている、ことを特徴とする請求項３に記載の磁力電気コネクタ。
【請求項５】
前記電源は５Ｖ-３６Ｖの交流又は直流電源である、ことを特徴とする請求項１〜４の何れかに記載の磁力電気コネクタ。
【請求項６】
前記床面導電結合部の金属接触部（３）は地面と平行に設置されている、ことを特徴とする請求項１〜４の何れかに記載の磁力電気コネクタ。
【請求項７】
前記磁気感応スイッチ（１）はマグネトロンである、ことを特徴とする請求項１〜４の何れかに記載の磁力電気コネクタ。
【請求項８】
前記第一磁性体（４）は前記磁気制御配電箱の中心部に設置されており、前記二つの磁性導電部はそれぞれ前記磁気制御配電箱の両端に位置されている、ことを特徴とする請求項１〜４の何れかに記載の磁力電気コネクタ。
【請求項９】
前記磁気制御配電箱はさらにカバー（１５）を備え、前記カバー（１５）には少なくとも二つの前記磁性導電部を収納するための磁性導電部孔（１８）が設けられている、ことを特徴とする請求項１〜４の何れかに記載の磁力電気コネクタ。
【請求項１０】
前記金属接触部（３）は金属素材から構成し、前記金属素材は鉄金属ハードクロムメッキ、銅ハードクロムメッキ又はステンレス鋼の中の一種又は数種類を含む、ことを特徴とする請求項１〜４の何れかに記載の磁力電気コネクタ。
【考案の詳細な説明】
【技術分野】
【０００１】
本考案は電源装置に関わり、特に安全な隠蔽式電源装置に関する。
【背景技術】
【０００２】
通常の電源コンセントは床面に設けられており、コンセントそのものが床面から突出するようにし、プラグの銅板を通じてコンセントの電線と直接的接続できるようにしている。電源コンセントは往々にして帯電しており、防水機能もない。子供又は老人がうっかりしてコンセント又はプラグに触れた時に、感電の危険が発生し、人身事故が発生する恐れがあり、深刻な場合は火災を招き、不安要素が秘められている。
【考案の概要】
【０００３】
本考案が解決しようとする技術問題は、従来技術に存在する欠陥に対し、床面導電結合部と床面が同じ高さで、床面から突出せず、安全且つ床面に隠蔽された状態での電気使用を実現できる磁力電気コネクタを提供することにある。
【０００４】
前記技術問題を解決するために本考案が採用した技術方案は下記の通りである。
【０００５】
地下に設けられた床面導電結合部と地上に設けられた磁気制御配電箱を備える磁力電気コネクタを構成するが、前記床面導電結合部は少なくとも二つの金属接触部及び磁気感応スイッチを含み、前記磁気感応スイッチが導通された時には二つの金属接触部と電源との連通を制御し、前記磁気制御配電箱は少なくとも二つの磁性導電部及び前記磁気感応スイッチの導通を制御するための第一磁性体を含み、前記磁性導電部は磁力を通じて前記金属接触部と電気的接続されることで、電流を獲得する。
【０００６】
本考案のその他の方面の磁力電気コネクタは、前記二つの磁性導電部はそれぞれ整流器に電気的接続され、前記整流器には継電器が接続されており、前記継電器は磁力の作用下で前記整流器を作動し、前記磁性導電部と獲得した電流の極性を整理した後出力する。
【０００７】
本考案のその他の方面の磁力電気コネクタは、前記二つの磁性導電部はそれぞれ第二磁性体と第三磁性体、及びそれぞれ前記第二磁性体と第三磁性体の外部に被覆する導電スリーブを備え、前記導電スリーブには接続板が設けられ、前記導電スリーブは前記接続板に設けられたリード線を通じて前記整流器の入力端に接続されている。
【０００８】
本考案のその他の方面の磁力電気コネクタは、前記整流器には絶縁板が設けられ、前記絶縁板と前記接続板の間にはスプリングが設けられている。
【０００９】
本考案のその他の方面の磁力電気コネクタは、前記電源は５Ｖ-３６Ｖの交流又は直流電源である。
【００１０】
本考案のその他の方面の磁力電気コネクタは、前記床面導電結合部は地面と平行に設置されている。
【００１１】
本考案のその他の方面の磁力電気コネクタは、前記磁気感応スイッチはマグネトロンである。
【００１２】
本考案のその他の方面の磁力電気コネクタは、前記第一磁性体は前記磁気制御配電箱の中心部に設けられており、前記二つの磁性導電部はそれぞれ前記磁気制御配電箱の両端に位置する。
【００１３】
本考案のその他の方面の磁力電気コネクタは、前記磁気制御配電箱はさらにカバーを備え、前記カバーには少なくとも二つの前記磁性導電部を収納するための磁性導電部孔が設けられている。
【００１４】
本考案のその他の方面の磁力電気コネクタは、前記金属接触部は金属素材から構成し、前記金属素材は鉄金属ハードクロムメッキ、銅ハードクロムメッキ又はステンレス鋼の中の一種又は数種類を含む。
【００１５】
本考案のその他の方面の磁力電気コネクタは、前記二つの磁性導電部はそれぞれ整流器に電気的接続され、前記継電器は前記磁性導電部と獲得した電流の極性を整理した後出力し、前記二つの磁性導電部はそれぞれ第二磁性体と第三磁性体、及びそれぞれ前記第二磁性体と第三磁性体の外部に被覆する導電スリーブを備え、前記導電スリーブには接続板が設けられ、前記導電スリーブは前記接続板に設けられたリード線を通じて前記整流器の入力端に接続され、前記整流器には絶縁板が設けられ、前記絶縁板と前記接続板の間にはスプリングが設けられている。
【００１６】
本考案のその他の方面の磁力電気コネクタは、前記電源は５Ｖ-３６Ｖの交流又は直流電源で、前記床面導電結合部の金属接触部は地面と平行に設置され、前記磁気感応スイッチはマグネトロンで、前記第一磁性体は前記磁気制御配電箱の中心部に設けられており、前記二つの磁性導電部はそれぞれ前記磁気制御配電箱の両端に位置し、前記磁気制御配電箱はさらにカバーを備え、前記カバーには少なくとも二つの前記磁性導電部を収納するための磁性導電部孔が設けられ、前記金属接触部は金属素材から構成し、前記金属素材は鉄金属ハードクロムメッキ、銅ハードクロムメッキ又はステンレス鋼の中の一種又は数種類を含む。
【００１７】
本考案は磁性体の吸引力を利用することにより地下に隠れた磁気感応スイッチを駆動して電気伝導を制御することで、必要な交流又は直流電流を供給するが、使用しない時には磁気制御配電箱を取り出し、床面導電結合部は帯電せず、隠れ電源となり、電気使用上安全であると同時に、漏電もなく、防塵防水が可能で、接触がよく、使用寿命も長く、室内の安全な電源装置に適し、特に学校教室内での使用に適する。それと同時に、その無極性の磁性導電部はユーザーの使用がより便利になるようにし、老人や子供も安心して使用できる。
【図面の簡単な説明】
【００１８】
以下、図面及び実施例に基づいて、本考案に対し更に詳しく説明するが、図中、
【図１】本考案に係る磁力電気コネクタにおける床面導電結合部の水平断面図である。
【図２】本考案に係る磁力電気コネクタにおける磁気制御配電箱と床面導電結合部の接続構造縦断面図である。
【考案を実施するための形態】
【００１９】
以下、図面に基づいて、本考案の最良の実施例に対し詳しく説明する。
【００２０】
本考案に係る最良の実施例の磁力電気コネクタは、地下に設けられた床面導電結合部と地上に設けられた磁気制御配電箱とを備える。そのうち、床面導電結合部の水平断面図は図１に示されているように、少なくとも二つの金属接触部３及びリード線１６を通じて二つの金属接触部３に接続される磁気感応スイッチ１を備え、磁気感応スイッチ１が導通された時には二つの金属接触部３と電源（図示せず）との連通を制御する。
【００２１】
図２に示されているように、磁気制御配電箱は少なくとも二つの磁性導電部及び磁気感応スイッチ１の導通を制御するための第一磁性体４を備える。磁気制御配電箱と床面導電結合部を接触し、磁気制御配電箱のある二つの磁性導電部はそれぞれ磁力を通じて金属接触部３に電気的接続し、第一磁性体４の磁力が磁気感応スイッチ１の導通を制御するが、磁気感応スイッチ１の導通は金属接触部３を通じて磁性導電部を電源に連通させ、よって電流を獲得する。
【００２２】
本実施例において、外部標識を通じて磁気制御配電箱にある二つの磁性導電部及び二つの金属接触部３の極性を識別することにより、磁気制御配電箱と床面導電接触部との間の正確な電気的接続を確保させる。
【００２３】
ユーザーの使用がより便利になるようにするため、より好ましい実施例において、好ましくは二つの磁性導電部をそれぞれ整流器１２の二つの入力端に電気的接続し、且つ整流器１２に継電器を接続し、継電器は磁場作用下で整流器１２の動作を制御し、整流器１２は磁性導電部が獲得した電流の極性を整理した後出力する。
【００２４】
これにより、ユーザーは磁気制御配電箱にある磁性導電部と床面導電接触部にある金属接触部３をそれぞれ接触すればよく、それらの極性を区分する必要がなく、極性を逆に接続することで必要のない損失をもたらすこともない。
【００２５】
より好ましい実施例において、図２に示されているように、二つの磁性導電部はそれぞれ第二磁性体と第三磁性体２、及びそれぞれ前記第二磁性体と第三磁性体２の外部に被覆する導電スリーブ５を備える。第二磁性体と第三磁性体２は金属接触部３との磁力連結を実現することができ、第二磁性体と第三磁性体２の外部に被覆する導電スリーブ５は金属接触部３との電気的接続を実現することができる。
【００２６】
そのうち、導電スリーブ５は銅で製造した導電銅スリーブでもよく、又は他の導電性の良い材料を採用して製造した導電スリーブであっても良い。
【００２７】
図２に示されているように、好ましくは磁性導電部の導電スリーブ５にさらに接続板７を設け、接続板７は半田８で導電スリーブ５に溶接してもよく、導電スリーブ５は接続板７に設けられたリード線１６を通じて整流器１２の入力端に電気的接続される。それに、整流器１２には絶縁板１１が設けられ、絶縁盤１１と接続板７の間には緩衝用のスプリング１０が設けられている。
【００２８】
磁気制御配電箱にある磁性導電部と床面導電接触部にある金属接触部３をそれぞれ接触する過程において、金属接触部３は地下に固定的に設置しているため、磁性導電部が逐次に接近する過程で、磁力により磁気制御配電箱と床面導電接触部の間に接触衝撃力を生成させ、もし頻繁に磁性配電箱を取り抜くと、何度も使用した後磁気制御配電箱内における接続の損害をもたらすことは避けられない。スプリング１０は取り抜きが磁気制御配電箱に与える接触衝撃力を緩めることで、磁気制御配電箱内の電気回路及び構造を保護することができる。
【００２９】
より好ましい実施例において、床面導電結合部の金属接触部３は地面と平行に設置し、床面導電結合部全体は地面から突出せず、地下に隠れて隠れ電源を形成し、より安全な使用を確保できると同時に、防水及び防塵の作用を果たすことができる。
【００３０】
より好ましい実施例において、磁気感応スイッチ１は好ましくはマグネトロンを採用し、マグネトロンは磁場信号を利用して制御するラインスイッチ装置で、磁性のある物質がマグネトロンのガラス管に近接する時、磁場の磁力線の作用下で、ガラス管内の二つのスプリングリーフは磁化されて互いに吸引接触されることで、二つのピンに接続される電気回路を連通させ、外部磁力が消えた後、二つのスプリングリーフは自身の弾力性によって離れ、電気回路も切断される。磁気制御配電箱が床面導電結合部に近接する時、第一磁性体４の磁場磁力線はマグネトロンを導通させることで、金属接触部３と電源を連通させると同時に、磁性導電部を通じて電力を導出する。磁気感応スイッチ１は磁力に対し敏感の他の感応スイッチであっても良いと理解することができる。
【００３１】
より好ましい実施例において、好ましくは、第一磁性体４を磁気制御配電箱の中心部に設置し、二つの磁性導電部を磁気制御配電箱の両端に設置する。第一磁性体４はネジ１４及びナット１３を通じて絶縁板に接続されることができる。金属接触部３はボルト９を通じて床面１７に連結されることができると同時に、電源と連結する接線孔６をボルト９の端部に設け、固定をより確実にさせる。
【００３２】
より好ましい実施例において、図２に示されているように、磁気制御配電箱はさらにカバー１５を備え、第一磁性体４及び磁性導電部、継電器、整流器１２等はカバー１５内に設置され、整流器１２の両端はカバー１５から通り抜けて目標電気製品に給電する。
【００３３】
磁気制御配電箱と床面導電結合部との間の衝撃力をさらに減少するため、カバー１５に少なくとも二つの磁性導電部孔１８を設けることで、磁性導電部が磁力の作用の下で床面導電結合部と接続する時、スプリング１０の弾性的復元力の下で前記磁性導電部孔１８から通り抜けて優先的に床面導電結合部と接続するようにし、磁気制御配電箱の他の部分は弾性力の下でゆっくりと床面に近接し、磁気制御配電箱をさらに保護する。
【００３４】
上述した各実施例において、電源として、好ましくは５Ｖ−３６Ｖの交流又は直流電源を採用し、可変トランスを通じて２２０Ｖの商業電源を５Ｖ−３６Ｖの交流又は直流電源に低下させて給電する。
【００３５】
上述した各実施例において、金属接触部３は金属素材から構成し、金属素材は鉄金属ハードクロムメッキ、銅ハードクロムメッキ又はステンレス鋼の中の一種又は数種類を含むが、他の磁性体に吸引される金属素材から構成しても良い。
【００３６】
本考案の磁力電気コネクタは磁性体の吸引力を利用することにより地下に隠れた磁気感応スイッチの導通を駆動して電気伝導を制御することで、必要な交流又は直流電流を供給する。使用しない時には磁気制御配電箱を取り出すことができ、床面導電結合部は帯電せず、隠れ電源となり。家に子供をおいて外出する時には、磁気制御配電箱を取り出せば、導電結合部は帯電せず、子供が手で触れても感電する恐れがない。
【００３７】
本考案の磁力電気コネクタ装置は、電気使用上安全であると同時に、漏電もなく、防塵防水が可能で、接触がよく、使用寿命も長く、室内の安全な電源装置に適し、特に学校教室内での使用に適する。それと同時に、その無極性の磁性導電部はユーザーの使用がより便利になるようにし、老人や子供も安心して使用できる。
【００３８】
本考案が属する技術分野の一般の技術者にとって、上述した説明に基づき改善と取替えを行うことができるが、すべての改善と取替えは何れも本考案の保護範囲に属していると理解しなければならない。
【図１】
0003163609.tif 000003
【図２】
0003163609.tif 000004